(57)【特許請求の範囲】
【請求項１】
電子機器の機能に対応付けて付帯機能情報が登録された機能テーブルと、待受け時に待受画面を表示する表示手段と、を備えた電子機器における機能表示方法であって、
使用された機能が終了した時に、前記終了した機能に対応する付帯機能情報を前記機能テーブルから抽出し、前記待受画面を表示する前に前記抽出した付帯機能情報を前記表示手段に表示する、
ことを特徴とする電子機器における機能表示方法。
【請求項２】
前記表示手段に表示される前記付帯機能情報は、少なくとも機能名と説明文を含むことを特徴とする請求項１記載の電子機器における機能表示方法。
【請求項３】
前記使用された機能に対応する付帯機能情報が複数ある場合の前記付帯機能情報の表示順および遷移方法は、任意に選択できることを特徴とする請求項１または２記載の電子機器における機能表示方法。
【請求項４】
前記電子機器は、使用された機能が終了した時に該終了した機能の機能名が登録される機能履歴テーブルを更に備えることを特徴とする請求項１乃至３のいずれか１項記載の電子機器における機能表示方法。
【請求項５】
前記付帯機能情報は、動作を設定するための設定画面へのリンク情報を含むことを特徴とする請求項１乃至４のいずれか１項記載の電子機器における機能表示方法。
【請求項６】
前記電子機器が携帯電話機であることを特徴とする請求項１乃至５のいずれか１項記載の電子機器における機能表示方法。
【請求項７】
前記電子機器は互いに連結された２つの筐体を備える携帯電話機であり、
前記２つの筐体が開いたことを認識した時、前記機能履歴テーブルを参照して前記新たに登録された使用機能履歴に対応する付帯機能情報を表示することを特徴とする請求項４項記載の電子機器における機能表示方法。
【請求項８】
電子機器の機能に対応付けて付帯機能情報が登録された機能テーブルと、
待受け時に待受画面を表示する表示手段と、
使用された機能が終了した時に、前記終了した機能に対応する付帯機能情報を前記機能テーブルから抽出し、前記待受画面を表示する前に前記抽出した付帯機能情報を前記表示手段に表示する制御手段と、
を備えることを特徴とする電子機器。
【請求項９】
前記表示手段に表示される前記付帯機能情報は、少なくとも機能名と説明文を含むことを特徴とする請求項８載の電子機器。
【請求項１０】
前記使用された機能に対応する付帯機能情報が複数ある場合の前記付帯機能情報の表示順および遷移方法は、任意に選択できることを特徴とする請求項８または９記載の電子機器。
【請求項１１】
機能履歴テーブルを更に備え、
前記制御手段は、使用された機能が終了した時に前記機能履歴テーブルに該終了した機能の機能名を登録することを特徴とする請求項８乃至１０のいずれか１項記載の電子機器。
【請求項１２】
前記付帯機能情報は、動作を設定するための設定画面へのリンク情報を含むことを特徴とする請求項８乃至１１のいずれか１項記載の電子機器。
【請求項１３】
前記電子機器が携帯電話機であることを特徴とする請求項８乃至１２のいずれか１項記載の電子機器。
【請求項１４】
前記電子機器は互いに連結された２つの筐体を備える携帯電話機であり、
前記制御手段は、前記２つの筐体が開いたことを認識した時、前記機能履歴テーブルを参照して前記新たに登録された使用機能履歴に対応する付帯機能情報を表示することを特徴とする請求項１１項記載の電子機器。
【請求項１５】
電子機器の機能に対応付けて付帯機能情報が登録された機能テーブルと、待受け時に待受画面を表示する表示手段と、を備えた電子機器のコンピュータが実行可能なプログラムであって、
使用された機能が終了した時に、前記終了した機能に対応する付帯機能情報を前記機能テーブルから抽出し、前記待受画面を表示する前に前記抽出した付帯機能情報を前記表示手段に表示するステップ、
を前記電子機器のコンピュータに実行させるプログラム。
【請求項１６】
前記付帯機能情報は、少なくとも機能名と説明文を含むことを特徴とする請求項１５記載のプログラム。
【発明の詳細な説明】
【技術分野】
【０００１】
本発明は電子機器における機能表示方法および電子機器及びプログラムに関し、特に、電子機器の機能の使用に応じてその機能に関係するメーカのお薦め機能を表示する電子機器における機能表示方法および電子機器及びプログラムに関する。
【背景技術】
【０００２】
昨今の携帯電話機は、メーカによって年々新機能が追加され、多くの機能を有している。しかしながら、新機能追加に伴い、取扱説明書は読破することさえ困難なほど複雑で、かつ厚くなっているため、どんなお薦め機能があるのか把握できないユーザーが多い。その結果、せっかくメーカーが開発した新機能やお薦め機能が、ユーザーに周知されなかったり、利用してもらえないという問題があった。
【０００３】
この問題に関連する技術として、ユーザが所望する機能の解説を容易に取得し、その機能の動作状態の設定を行える方法が考案されている（例えば、特許文献１を参照。）。
【０００４】
この方法では、まず、機能の名称の一覧を示すメニュー画面が表示された状態で、第１指示キーが操作されると、メニュー画面が選択された機能を説明する解説画面に移行する。この状態で第２指示キーが操作されると、解説画面が機能の設定状態を示す設定画面に移行する。この方法により、ユーザは所望する機能の解説を容易に取得し、その機能の動作状態の設定を容易に行える。
【０００５】
【特許文献１】特開２００１−１４７７９７公報
【発明の開示】
【発明が解決しようとする課題】
【０００６】
上述した公報発明の方法では、メーカーが開発した携帯電話機のたくさんの新機能やお薦め機能をユーザーに周知し、使いこなしてもらうには、不十分であるという問題がある。
【０００７】
なぜなら、特開２００１−１４７７９７公報発明は、ユーザが要求した機能についてだけ、解説画面や設定画面を表示するからである。
【０００８】
本発明の目的は、より多くの機能をユーザーに周知し使いこなしてもらうために、ユーザが機能を使用するたびにその機能に関係するお薦め機能の機能名と説明文を表示する携帯電話機を提供することにある。
【課題を解決するための手段】
【０００９】
この発明は、電子機器の機能に対応付けて付帯機能情報が登録された機能テーブルと、待受け時に待受画面を表示する表示手段と、を備えた電子機器における機能表示方法であって、使用された機能が終了した時に、前記終了した機能に対応する付帯機能情報を前記機能テーブルから抽出し、前記待受画面を表示する前に前記抽出した付帯機能情報を前記表示手段に表示する、ことを特徴とする。
【００１０】
ここで、前記表示手段に表示される前記付帯機能情報は、少なくとも機能名と説明文を含むことを特徴とする。
【００１１】
また、前記使用された機能に対応する付帯機能情報が複数ある場合の前記付帯機能情報の表示順および遷移方法は、任意に選択できることを特徴とする。
【００１２】
また、前記電子機器は、使用された機能が終了した時に該終了した機能の機能名が登録される機能履歴テーブルを更に備えることを特徴とする。
【００１３】
また、前記付帯機能情報は、動作を設定するための設定画面へのリンク情報を含むことを特徴とする。
【００１４】
また、前記電子機器が携帯電話機であることを特徴とする。
【００１５】
また、前記電子機器は互いに連結された２つの筐体を備える携帯電話機であり、前記２つの筐体が開いたことを認識した時、前記機能履歴テーブルを参照して前記新たに登録された使用機能履歴に対応する付帯機能情報を表示することを特徴とする。
【００１６】
他の発明は、電子機器の機能に対応付けて付帯機能情報が登録された機能テーブルと、待受け時に待受画面を表示する表示手段と、使用された機能が終了した時に、前記終了した機能に対応する付帯機能情報を前記機能テーブルから抽出し、前記待受画面を表示する前に前記抽出した付帯機能情報を前記表示手段に表示する制御手段と、を備えることを特徴とする電子機器である。
【００１７】
ここで、前記表示手段に表示される前記付帯機能情報は、少なくとも機能名と説明文を含むことを特徴とする。
【００１８】
また、前記使用された機能に対応する付帯機能情報が複数ある場合の前記付帯機能情報の表示順および遷移方法は、任意に選択できることを特徴とする。
【００１９】
また、機能履歴テーブルを更に備え、前記制御手段は、使用された機能が終了した時に前記機能履歴テーブルに該終了した機能の機能名を登録することを特徴とする。
【００２０】
また、前記付帯機能情報は、動作を設定するための設定画面へのリンク情報を含むことを特徴とする。
【００２１】
また、前記電子機器が携帯電話機であることを特徴とする。
【００２２】
また、前記電子機器は互いに連結された２つの筐体を備える携帯電話機であり、前記制御手段は、前記２つの筐体が開いたことを認識した時、前記機能履歴テーブルを参照して前記新たに登録された使用機能履歴に対応する付帯機能情報を表示することを特徴とする。
【００２３】
さらに他の発明は、電子機器の機能に対応付けて付帯機能情報が登録された機能テーブルと、待受け時に待受画面を表示する表示手段と、を備えた電子機器のコンピュータが実行可能なプログラムであって、使用された機能が終了した時に、前記終了した機能に対応する付帯機能情報を前記機能テーブルから抽出し、前記待受画面を表示する前に前記抽出した付帯機能情報を前記表示手段に表示するステップ、を前記電子機器のコンピュータに実行させるプログラムであることを特徴とする。
【００２４】
ここで、前記付帯機能情報は、少なくとも機能名と説明文を含むことを特徴とする。
【発明の効果】
【００２９】
本発明により、メーカーが開発した携帯電話機のたくさんの新機能やお薦め機能をユーザーに周知し、使いこなしてもらうように出来る効果がある。
【００３０】
その理由は、本発明の携帯電話機は、ユーザが機能を使用するたびに機能に関係する機能の機能名と説明文を表示するからである。
【発明を実施するための最良の形態】
【００３１】
次に、本発明を実施するための最良の形態について図面を参照して詳細に説明する。
【００３２】
図１は本発明の電子機器の一実施の形態を示すブロック図である。
【００３３】
なお、以降ではこの電子機器は、携帯電話機として説明する。
【００３４】
図１から分かるように、本発明の実施の形態の携帯電話機は、送受信アンテナ１、送受信部２、制御部３、表示部４、キー操作部５、メモリ７を含んで構成される。さらに、キー操作部５は、メニューキー６を含み、メモリ７は、お薦め機能テーブル９と機能履歴テーブル１０からなる機能テーブル８を含んで構成される。
【００３５】
携帯電話機の電話機能やメール機能ついては周知であり、また本発明と直接関係しないため、その構成や動作については説明を省略する。
【００３６】
本発明の実施の形態の特徴は、制御部３が、携帯電話機の機能が使用され、その機能が終了した時点で、その機能に関連するお薦め機能(付帯機能)を表示部４に表示する点である。
【００３７】
そのために、メモリ７の機能テーブル８の中に、お薦め機能テーブル９を保持する。そして、お薦め機能テーブル９には、携帯電話機の全ての機能と、その機能に対するお薦め情報が格納されている。
【００３８】
さらにメモリ７の機能テーブル８の中には、使用した機能の履歴を示す機能履歴テーブル１０を保持している。
【００３９】
なお、ここでいう機能とは、携帯電話機の機能ボタンや、メニューから選択された機能であり、例えば、メール送信、メール受信、電話発信、電話受信、カメラ撮像、アラーム設定、スケジュール機能、日付設定…などがある。
【００４０】
また、使用者が携帯電話機の機能を使用した場合に、その使用した機能を機能履歴としてメモリに保存する技術は、例えば特開２０００−２６１５４４号公報に記載されており、公知である。
【００４１】
該公報では、メモリの所定の領域にｎ件分の機能履歴データ格納部を有し、常に新しい機能履歴データが格納部の一番上に来るようにし、満杯時は古いデータを消去するようにしている。
【００４２】
本発明の実施の形態では、携帯電話機のどの機能が今使用されたことを認識するために、この公報の機能履歴データを参照することを前提とする。本発明の実施の形態では、機能履歴データは機能履歴テーブル１０と称し、図３で後述するように、常に使用された新しい機能が機能履歴テーブル１０の順位の一番目に登録されることを前提としている。
【００４３】
図２は、お薦め機能テーブル９の構成例を示した図である。お薦め機能テーブル９は、携帯電話機の全ての機能と、各機能に対するお薦め機能情報とを関係づけたものである。
【００４４】
図２を参照すると、お薦め機能テーブル９は、一番左の列欄に携帯電話機のすべての機能が格納され、その右列欄には、各機能に対応するお薦め機能情報が格納されている。
【００４５】
さらに、お薦め機能情報は、お薦め機能名欄、お薦め機能の説明文欄、表示順欄からなる。お薦め機能名欄は、携帯電話機の使用された機能に関係するお薦め機能名を記載する欄であり、メーカが推奨するものが記載される。お薦め機能の説明文欄は、各お薦め機能名の内容の要旨を解説した説明文を記載する欄である。表示順欄は、携帯電話機の機能が使用された時、表示するお薦め機能の表示の順番を示す数字を記載する欄である。
【００４６】
例えば、図２における携帯電話機のカメラ機能を例に取ると、お薦め機能名欄には、画像調整、メール貼付、動画が記載されている。そして、お薦め機能の説明文欄には、画像調整、メール貼付、動画それぞれに対し、「画像を調整できます。」、「撮影した画像をメールに貼付できます。」、「動画の撮影も出来ます。」が記載されている。そして、表示順欄には、画像調整、メール貼付、動画のお薦め機能の表示の順番として、１、２、３が記載されている。
【００４７】
図３は、機能履歴テーブル１０の構成例を示す図である。機能履歴テーブル１０は、使用された機能の履歴をｎ個まで保存したものであり、常に、一番最後に使用した機能が順位の一番目に来るように制御される。
【００４８】
例えば、図３では、カメラ機能が１番目に記載されており、最後に使用された機能であることを示している。
【００４９】
次に図４は、制御部３の一実施の形態を示す動作フロー図である。
【００５０】
本フローでは、携帯電話機の機能が作動し（Ｓ０）、機能の作動が完了（Ｓ１）した時点で、その機能の機能名が機能履歴テーブル１０の順位の一番上に設定される（Ｓ２）。Ｓ０〜Ｓ２までは、上述したように、公知の技術である。制御部３は機能履歴テーブル１０の順位の一番目の設定から機能の作動完了を認識する（Ｓ３）。そして、Ｓ３以降の処理が、制御部の動作フローである。
【００５１】
制御部３が機能の作動完了を認識する方法としては、図示しない機能動作完了監視手段により機能履歴テーブル１０の順位の１番目の機能名の更新を監視する方法が考えられる。しかし、機能動作完了監視手段の方法はこれに限定されるものではない。
【００５２】
制御部３は、次に、図示しないお薦め機能情報を取り出し手段により機能履歴テーブル１０の１番目の機能名に対応するお薦め機能テーブル９の表示順１のお薦め機能情報を取り出す。そして、制御部３は、取り出したお薦め機能情報におけるお薦め機能名と説明文を表示部４へ表示する（Ｓ４）。
【００５３】
尚、表示部４への表示項目は、他に、利用者が終了したいときに使用する“終了”ボタン、利用者が次のお薦め機能の表示をしたいときに使用する“次のお薦め機能表示へ”ボタンがある。
【００５４】
制御部３は、Ｓ５で次のお薦め機能表示要求を検出すると、お薦め機能テーブル９の次の表示順のお薦め機能情報があれば、それを取り出し、お薦め機能名と説明文を表示部４へ表示する（Ｓ６、Ｓ７）。Ｓ６で、次の表示順のお薦め機能情報がなければ、待ち受け画面を表示する（Ｓ８）。Ｓ５で、お薦め機能表示の終了が選択された場合は、待ち受け画面を表示する（Ｓ８）。また、Ｓ５で、一定の時間ボタン選択がなければ、待ち受け画面を表示する（Ｓ８）。
【００５５】
上記お薦め機能が表示されるまでの動作説明をさらにわかりやすくするため、カメラ機能の具体例を用いて説明する。
【００５６】
利用者がカメラ機能を使用すると、使用完了（カメラの動作完了）時に「カメラ機能」が、図３に示すように機能履歴テーブル１０の順位の１番目に登録される。
【００５７】
制御部３の機能動作完了監視手段は、この登録を検出し、カメラ機能のお薦め機能情報を表示する。
【００５８】
カメラ機能に関するお薦め機能情報には、図２のように、カメラ機能に関連する“お薦め機能名”や“お薦め機能の説明文”、“表示順”が保存されている。お薦め機能名には、“画像調整”や“メール貼付”、“動画”などが記載されている。
【００５９】
制御部３によるお薦め機能の表示順は、お薦め機能テーブル９の“表示順”に従う。
【００６０】
図５は、制御部３によるカメラ機能のお薦め機能情報の表示例を示す図である。
【００６１】
制御部３は、１番目に“画像調整”を、２番目に“メール貼付”を、３番目に“動画”のお薦め機能情報を表示する。表示内容は、前述したように、各々の“お薦め機能名”や“お薦め機能の説明文”及び、“終了”ボタンと“次のお薦め機能表示へ”ボタンである。
【００６２】
上述した実施の形態では、常に、使用機能に応じてお薦め機能情報を画面へ表示し、その表示は、お薦め機能テーブル９の“表示順”に従い、利用者のボタン押下に従って遷移した。
【００６３】
しかし、本発明は、これに限定されることなく、様々な動作バリエーションを含むものとする。
【００６４】
その１：使用機能に応じてお薦め機能を画面へ表示するか否かを、ユーザーが任意に設定出来るようにする。
【００６５】
その２：お薦め機能を“表示順”ではなく、ランダムに表示する。
【００６６】
その３：お薦め機能情報を画面へ表示する際、関連する“お薦め機能名”を全部表示して、利用者が“お薦め機能名”メニューを選択できるようにする。
【００６７】
その４：ユーザーの好みにより、一番目に表示されたお薦め機能を参照後、二番目にキー操作により他のお薦めメニューも参照できる。
【００６８】
その５：一定時間が経過すると次のお薦め機能を表示するようにする。
【００６９】
その６：ユーザーの最後に使用した機能以外の機能のお薦め機能情報を表示することができる。
【００７０】
その７：画像調整など、その場で設定可能なお薦め機能は、設定画面により設定できるようにする。
【００７１】
その１からその７までのサービスは、携帯電話機の電源投入時などの利用開始時に、予め定めたメニューキー６(図１）あるいは、表示部４(図１）のメニュー画面から選択できるようにしておく。そして、利用者によって選択された結果を制御部３が認識し、それに合わせて制御するようにすればよい。
【００７２】
その８：折り畳み型やスライド型の端末において、開いて新たに待受画面を表示した場合、最後に使用した機能のお薦め情報を自動的に表示することもできる。
【００７３】
これは、制御部３が、折り畳み型やスライド型の端末が開いたことを認識し、機能履歴テーブル１０の順位の１番目に登録された機能を認識し、その機能のお薦め機能情報を表示するようにすればよい。
【図面の簡単な説明】
【００７４】
【図１】本発明の電子機器の一実施の形態を示すブロック図である。
【図２】本発明のお薦め機能テーブル９の構成例を示した図である。
【図３】機能履歴テーブル１０の構成例を示す図である。
【図４】本発明の制御部３の一実施の形態を示す動作フロー図である。
【図５】制御部３によるカメラ機能のお薦め機能情報の表示例を示す図である。
【符号の説明】
【００７５】
１    送受信アンテナ
２    送受信部
３    制御部
４    表示部
５    キー操作部
６    メニューキー
７    メモリ
８    機能テーブル
９    お薦め機能テーブル
１０    機能履歴テーブル
【図１】
0004810917.tif 000002
【図２】
0004810917.tif 000003
【図３】
0004810917.tif 000004
【図４】
0004810917.tif 000005
【図５】
0004810917.tif 000006